(57)【特許請求の範囲】
【請求項１】
ＯＤＵ（Ｏｕｔｄｏｏｒ  Ｕｎｉｔ）とＩＤＵ（Ｉｎｄｏｏｒ  Ｕｎｉｔ）とから構成される無線通信装置において、
受信信号を復調する復調手段と、
前記復調手段で復調された信号内の制御ビットを判定して各種制御信号を発動する信号処理手段と、
前記ＯＤＵと前記ＩＤＵとの間のケーブル長を補正するケーブル長補正手段と、
装置立ち上げ時に当該立ち上げ処理が完了するまで前記信号処理手段の制御出力をマスクするマスク手段とを有し、
前記信号処理手段の制御出力がマスクされた期間に前記ケーブル長補正手段による前記ケーブル長の補正を行うことを特徴とする無線通信装置。
【請求項２】
前記信号処理手段にて用いる設定テーブルに前記立ち上げ処理が完了と未完了とを示す立ち上げ設定完了ビットを設け、
前記マスク手段が前記立ち上げ設定完了ビットに応じてマスク処理を行うことを特徴とする請求項１記載の無線通信装置。
【請求項３】
前記マスク手段は、前記立ち上げ設定完了ビットに応じて前記マスク処理の制御を実行する制御出力マスク生成回路と、前記制御出力マスク生成回路の制御に応答して前記信号処理手段の制御出力をマスクする制御信号出力バッファとを含み、
前記立ち上げ設定完了ビットが前記未完了を示す時に、前記制御出力マスク生成回路が前記制御信号出力バッファに対してイネーブル制御を実施して前記信号処理手段の制御出力をマスクすることを特徴とする請求項２記載の無線通信装置。
【請求項４】
前記装置立ち上げ時に前記信号処理手段へのプロビジョニング設定を２段階で実施することを特徴とする請求項１から請求項３のいずれか記載の無線通信装置。
【請求項５】
前記立ち上げ処理が完了していない時に前記信号処理手段への１回目のプロビジョニング設定を行い、前記立ち上げ処理の完了後に前記信号処理手段への２回目のプロビジョニング設定を行うことを特徴とする請求項４記載の無線通信装置。
【請求項６】
前記復調手段が非同期状態となった場合に前記信号処理手段からの制御出力をマスクする手段を含み、
前記立ち上げ設定完了ビットを前記復調手段に設け、
前記マスク手段は、前記立ち上げ処理が完了するまで前記信号処理手段に対して強制的に非同期情報を送信することを特徴とする請求項１または請求項２記載の無線通信装置。
【請求項７】
前記復調手段と前記信号処理手段とが別パッケージであることを特徴とする請求項１から請求項６のいずれか記載の無線通信装置。
【請求項８】
前記復調手段と前記信号処理手段とが同一パッケージであることを特徴とする請求項１から請求項６のいずれか記載の無線通信装置。
【請求項９】
ＯＤＵ（Ｏｕｔｄｏｏｒ  Ｕｎｉｔ）とＩＤＵ（Ｉｎｄｏｏｒ  Ｕｎｉｔ）とから構成される無線通信装置に、受信信号を復調する復調手段と、前記復調手段で復調された信号内の制御ビットを判定して各種制御を発動する信号処理手段と、前記ＯＤＵと前記ＩＤＵとの間のケーブル長を補正するケーブル長補正手段とを設け、
前記無線通信装置の立ち上げ時に当該立ち上げ処理が完了するまで前記信号処理による制御出力をマスクするマスク処理を有し、
前記信号処理手段の制御出力がマスクされた期間に前記ケーブル長補正手段による前記ケーブル長の補正を行うことを特徴とする立ち上げ制御方法。
【請求項１０】
前記信号処理手段にて用いる設定テーブルに前記立ち上げ処理が完了と未完了とを示す立ち上げ設定完了ビットを設け、
前記マスク処理において、前記立ち上げ設定完了ビットに応じてマスク動作を行うことを特徴とする請求項９記載の立ち上げ制御方法。
【請求項１１】
前記マスク処理において、制御出力マスク生成回路が前記立ち上げ設定完了ビットに応じて前記マスク処理の制御を実行し、制御信号出力バッファが前記制御出力マスク生成回路の制御に応答して前記信号処理手段の制御出力をマスクするとともに、
前記立ち上げ設定完了ビットが前記未完了を示す時に、前記制御出力マスク生成回路が前記制御信号出力バッファに対してイネーブル制御を実施して前記信号処理手段の制御出力をマスクすることを特徴とする請求項１０記載の立ち上げ制御方法。
【請求項１２】
前記装置立ち上げ時に前記信号処理手段へのプロビジョニング設定を２段階で実施することを特徴とする請求項９から請求項１１のいずれか記載の立ち上げ制御方法。
【請求項１３】
前記立ち上げ処理が完了していない時に前記信号処理手段への１回目のプロビジョニング設定を行い、前記立ち上げ処理の完了後に前記信号処理手段への２回目のプロビジョニング設定を行うことを特徴とする請求項１２記載の立ち上げ制御方法。
【請求項１４】
前記信号処理手段が、前記復調手段が非同期状態となった場合に前記信号処理手段からの制御出力をマスクする処理を実行し、
前記立ち上げ設定完了ビットを前記復調手段に設け、
前記マスク処理において、前記立ち上げ処理が完了するまで前記信号処理手段に対して強制的に非同期情報を送信することを特徴とする請求項９または請求項１０記載の立ち上げ制御方法。
【請求項１５】
前記復調手段と前記信号処理手段とが別パッケージであることを特徴とする請求項９から請求項１４のいずれか記載の立ち上げ制御方法。
【請求項１６】
前記復調手段と前記信号処理手段とが同一パッケージであることを特徴とする請求項９から請求項１４のいずれか記載の立ち上げ制御方法。
【請求項１７】
ＯＤＵ（Ｏｕｔｄｏｏｒ  Ｕｎｉｔ）とＩＤＵ（Ｉｎｄｏｏｒ  Ｕｎｉｔ）とから構成され、受信信号を復調する復調手段と、前記復調手段で復調された信号内の制御ビットを判定して各種制御を発動する信号処理手段と、前記ＯＤＵと前記ＩＤＵとの間のケーブル長を補正するケーブル長補正手段とを含む無線通信装置内の中央処理装置に実行させるプログラムであって、
前記無線通信装置の立ち上げ時に当該立ち上げ処理が完了するまで前記信号処理による制御出力をマスクするマスク処理を含み、
前記信号処理手段の制御出力がマスクされた期間に前記ケーブル長補正手段による前記ケーブル長の補正を行わせることを特徴とするプログラム。
【発明の詳細な説明】
【技術分野】
【０００１】
本発明は無線通信装置及びそれに用いる立ち上げ制御方法並びにそのプログラムに関し、特に無線通信装置における装置起動時の立ち上げ処理に関する。
【背景技術】
【０００２】
本発明に関連する無線通信装置においては、アンテナに近接したＯＤＵ（Ｏｕｔｄｏｏｒ  Ｕｎｉｔ：屋外装置）［ＲＦ（Ｒａｄｉｏ  Ｆｒｅｑｕｅｎｃｙ）送受信機］と、このＯＤＵと離れて設置されるＩＤＵ（Ｉｎｄｏｏｒ  Ｕｎｉｔ：屋内装置）とに分割して接続している。この場合、上記の無線通信装置では、アンテナを有した無線通信部を持つＯＤＵを小型軽量化して高所への設置を容易にし、かつ通信処理や制御機能を司る部分であるＩＤＵを屋内に設置している（例えば、特許文献１参照）。
【０００３】
上記の無線通信装置としては、（１＋１）装置において、復調部と信号処理部とが別パッケージになっている場合、図７に示すような構成となっている。図７において、無線通信装置１ｂは、ＯＤＵ２−１，２−２と、ＩＤＵ３ｂと、ＩＤＵ−ＯＤＵ間ケーブル１００−１，１００−２とから構成されている。ＩＤＵ３ｂは、ＯＤＵ  Ｉ／Ｆ（Ｉｎｔｅｒｆａｃｅ）３１−１，３１−２と、復調部３２−１，３２−２と、ＣＰＵ（中央処理装置）３３と、信号処理部３４ｂとを備えている。
【０００４】
復調部３２−１，３２−２は、シリアル制御設定回路３２１−１，３２１−２を備え、信号処理部３４ｂは、シリアル制御設定回路３４１と、設定テーブル３４２ａと、制御生成回路３４３と、制御ビット抽出回路３４６とを備えている。
【０００５】
また、無線通信装置としては、（１＋０）装置において、復調部と信号処理部とが同一パッケージになっている場合、図９に示すような構成となっている。図９において、無線通信装置１ｃは、ＯＤＵ２と、ＩＤＵ３ｃと、ＩＤＵ−ＯＤＵ間ケーブル１００とから構成されている。ＩＤＵ３ｃは、ＯＤＵ  Ｉ／Ｆ３１と、ＣＰＵ３３と、復調信号処理部３５ａとを備えている。
【０００６】
復調信号処理部３５ａは、復調部３２と、シリアル制御設定回路３６と、設定テーブル３７ａと、信号処理部３４ｃとを備え、信号処理部３４ｃは、制御生成回路３４３と、制御ビット抽出回路３４６とを含んでいる。
【０００７】
上述した無線通信装置１ｂ，１ｃのＣＰＵ３３は、装置起動時の立ち上げ処理として、装置内の各機能部のシリアル制御設定回路３２１−１，３２１−２，３４１，３６にアクセスし、プロビジョニング設定（サービスに関わる配線、機器、信号等の通信に関わる設定）の実行や、ＩＤＵ−ＯＤＵ間のケーブル長周波数特性補正やレベル補正（以下、ケーブル長補正とする）を実施する。
【０００８】
ここで、ＩＤＵ−ＯＤＵ間のケーブル長が長くなると、ケーブル損失が大きくなり、ＩＤＵ内の復調器への入力レベル低下や周波数特性劣化が発生する。このため、装置起動の立ち上げ処理時には、ＩＤＵ−ＯＤＵ間のケーブル長に応じてＩＤＵ内の送信出力レベルを制御することによりケーブル長補正が実施されている。
【０００９】
つまり、無線通信装置１ｂ，１ｃのＣＰＵ３３では、図８及び図１０に示すように、装置起動時の立ち上げ処理が実行される。以下、無線通信装置１ｂ，１ｃ各々の装置起動時の立ち上げ処理について説明する。
【００１０】
無線通信装置１ｂでは、電源（図示せず）が立ち上げられると（図８ステップＳ６１）、ＣＰＵ３３が起動され（図８ステップＳ６２）、ＯＤＵ２−１，２−２の設定等が行われ（図８ステップＳ６３）、復調部３２−１，３２−２に対してプロビジョニング設定が行われる（図８ステップＳ６４）。
【００１１】
復調部３２−１，３２−２は、ＣＰＵ３３からのプロビジョニング設定を受信すると（図８ステップＳ５１）、プロビジョニング設定を実行する。復調部３２−１，３２−２は、プロビジョニング設定が完了すると、設定完了レスポンスをＣＰＵ３３に返し（図８ステップＳ５２）、運用状態となる。
【００１２】
ＣＰＵ３３は、復調部３２−１，３２−２からの設定完了レスポンスを受信すると（図８ステップＳ６５）、信号処理部３４ｂに対してプロビジョニング設定を行う（図８ステップＳ６６）。
【００１３】
信号処理部３４ｂは、ＣＰＵ３３からのプロビジョニング設定を受信すると（図８ステップＳ７１）、プロビジョニング設定を実行する。信号処理部３４ｂは、プロビジョニング設定が完了すると、設定完了レスポンスをＣＰＵ３３に返し（図８ステップＳ７２）、運用状態となる。
【００１４】
ＣＰＵ３３は、信号処理部３４ｂからの設定完了レスポンスを受信すると（図８ステップＳ６７）、ケーブル長補正を実施し（図８ステップＳ６８）、立ち上げ設定完了となる。
【００１５】
一方、無線通信装置１ｃでは、電源（図示せず）が立ち上げられると（図１０ステップＳ８１）、ＣＰＵ３３が起動され（図１０ステップＳ８２）、ＯＤＵ２の設定等が行われ（図１０ステップＳ８３）、復調信号処理部３５ａに対してプロビジョニング設定が行われる（図１０ステップＳ８４）。
【００１６】
復調信号処理部３５ａは、ＣＰＵ３３からのプロビジョニング設定を受信すると（図１０ステップＳ９１）、プロビジョニング設定を実行する。復調信号処理部３５ａは、プロビジョニング設定が完了すると、設定完了レスポンスをＣＰＵ３３に返し（図１０ステップＳ９２）、運用状態となる。
【００１７】
ＣＰＵ３３は、復調信号処理部３５ａからの設定完了レスポンスを受信すると（図１０ステップＳ８５）、ケーブル長補正を実施し（図１０ステップＳ８６）、立ち上げ設定完了となる。
【００１８】
ケーブル長補正を実施するためには、復調部３２，３２−１，３２−２のプロビジョニング設定を実施する必要があるので（正確には変調部であるが、変調部と復調部とを一括設定）、先にプロビジョニング設定を実施し、その後にケーブル長補正を実施している。したがって、復調部３２，３２−１，３２−２と信号処理部３４ｂ／復調信号処理部３５ａとは、プロビジョニング設定によって通常運用状態となるが、ケーブル長補正が実施されていない状態となる。
【００１９】
復調部３２，３２−１，３２−２では、正確に復調することが可能となる入力レベルを規定している。しかしながら、上記のようなケーブル長補正が実施されていない状態では、ＯＤＵ２，２−１，２−２のＲＦ受信電界によっては、復調部３２，３２−１，３２−２の入力レベルが規定値から外れる場合がある。復調部３２，３２−１，３２−２の入力レベルが規定値から外れた場合、復調部３２，３２−１，３２−２では復調誤りや同期外れを発生する。
【００２０】
本発明に関連する無線通信装置１ｂ，１ｃでは、装置立ち上げ処理の過渡状態において、復調部３２，３２−１，３２−２が多数の復調誤りを発生することがあり、信号処理部３４ｂ／復調信号処理部３５ａが誤って復調された制御ビットを抽出することによって、本来発動しない制御を発動することがある。
【００２１】
【特許文献１】特開２００６−１９７３４３号公報
【発明の開示】
【発明が解決しようとする課題】
【００２２】
上述した本発明に関連する無線通信装置では、ケーブル長補正を実施するために、復調部のプロビジョニング設定が実施されている必要がある。この無線通信装置では、復調部のプロビジョニング設定が実施され、その後、ケーブル長補正が実施されるまでの間、復調部の入力レベルが規定値外となる可能性があるため、復調部の復調誤りを完全に防ぐことができない。
【００２３】
したがって、本発明に関連する無線通信装置では、ケーブル長補正が実施されるまで、信号処理部が復調誤りした制御ビットを受信しても、制御を発動しない仕組みが必要とされる。上記の特許文献１に記載の無線通信装置でも同様である。
【００２４】
上記のように、本発明に関連する無線通信装置では、装置起動時、全ての立ち上げ処理が完了し、装置が通常運用を開始するまでは復調誤りや同期外れによる信号の不通自体は問題とならない。
【００２５】
但し、本発明に関連する無線通信装置では、装置立ち上げの過渡状態において、復調部によって誤って復調されたデータを信号処理部が受信し、受信したデータから制御ビット抽出回路が抽出した誤った制御ビットによって、制御生成回路が制御を発動し、装置が誤動作することが課題となっている。
【００２６】
そこで、本発明の目的は上記の問題点を解消し、装置立ち上げ時の過渡状態において、復調部が多数の復調誤りを発生している状態で、信号処理部が誤った制御を発動することによる装置誤動作を防止することができる無線通信装置及びそれに用いる立ち上げ制御方法並びにそのプログラムを提供することにある。
【課題を解決するための手段】
【００２７】
本発明による無線通信装置は、ＯＤＵ（Ｏｕｔｄｏｏｒ  Ｕｎｉｔ）とＩＤＵ（Ｉｎｄｏｏｒ  Ｕｎｉｔ）とから構成される無線通信装置において、
受信信号を復調する復調手段と、
前記復調手段で復調された信号内の制御ビットを判定して各種制御信号を発動する信号処理手段と、
前記ＯＤＵと前記ＩＤＵとの間のケーブル長を補正するケーブル長補正手段と、
装置立ち上げ時に当該立ち上げ処理が完了するまで前記信号処理手段の制御出力をマスクするマスク手段とを備え、
前記信号処理手段の制御出力がマスクされた期間に前記ケーブル長補正手段による前記ケーブル長の補正を行っている。
【００２８】
本発明による立ち上げ制御方法は、ＯＤＵ（Ｏｕｔｄｏｏｒ  Ｕｎｉｔ）とＩＤＵ（Ｉｎｄｏｏｒ  Ｕｎｉｔ）とから構成される無線通信装置に、受信信号を復調する復調手段と、前記復調手段で復調された信号内の制御ビットを判定して各種制御を発動する信号処理手段と、前記ＯＤＵと前記ＩＤＵとの間のケーブル長を補正するケーブル長補正手段とを設け、
前記無線通信装置の立ち上げ時に当該立ち上げ処理が完了するまで前記信号処理による制御出力をマスクするマスク処理を備え、
前記信号処理手段の制御出力がマスクされた期間に前記ケーブル長補正手段による前記ケーブル長の補正を行っている。
【００２９】
本発明によるプログラムは、ＯＤＵ（Ｏｕｔｄｏｏｒ  Ｕｎｉｔ）とＩＤＵ（Ｉｎｄｏｏｒ  Ｕｎｉｔ）とから構成され、受信信号を復調する復調手段と、前記復調手段で復調された信号内の制御ビットを判定して各種制御を発動する信号処理手段と、前記ＯＤＵと前記ＩＤＵとの間のケーブル長を補正するケーブル長補正手段とを含む無線通信装置内の中央処理装置に実行させるプログラムであって、
前記無線通信装置の立ち上げ時に当該立ち上げ処理が完了するまで前記信号処理による制御出力をマスクするマスク処理を含み、
前記信号処理手段の制御出力がマスクされた期間に前記ケーブル長補正手段による前記ケーブル長の補正を行わせることを特徴とする。
【発明の効果】
【００３０】
本発明は、上記のような構成及び動作とすることで、装置立ち上げ時の過渡状態において、復調部が多数の復調誤りを発生している状態で、信号処理部が誤った制御を発動することによる装置誤動作を防止することができるという効果が得られる。
【発明を実施するための最良の形態】
【００３１】
次に、本発明の実施の形態について図面を参照して説明する。図１は本発明の第１の実施の形態による無線通信装置の構成例を示すブロック図である。図１において、本発明の第１の実施の形態による無線通信装置１は、ＯＤＵ（Ｏｕｔｄｏｏｒ  Ｕｎｉｔ：屋外装置）［ＲＦ（Ｒａｄｉｏ  Ｆｒｅｑｕｅｎｃｙ）送受信機］２と、ＩＤＵ（Ｉｎｄｏｏｒ  Ｕｎｉｔ：屋内装置）３と、ＩＤＵ−ＯＤＵ間ケーブル１００とから構成されている。
【００３２】
ＩＤＵ３は、ケーブル長補正部３０と、受信信号を復調する復調部３２と、復調部３２で復調された信号内の制御ビットを判定して各種制御を発動する信号処理部３４とを備えている。信号処理部３４は無線通信装置１の立ち上げ時に当該立ち上げ処理が完了するまで信号処理部３４の制御出力をマスクするマスク部３４０を備えている。
【００３３】
図２は図１の無線通信装置１の装置起動時の立ち上げ処理を示すフローチャートである。これら図１及び図２を参照して無線通信装置１の装置起動時の立ち上げ処理について説明する。尚、図２に示す処理は、図示せぬＣＰＵ（中央処理装置）が図示せぬメモリに格納されたプログラムを実行することで実現される。
【００３４】
無線通信装置１は装置立ち上げに、立ち上げ処理を実行する（図２ステップＳ０１）。この立ち上げ処理は、上述した本発明に関連する無線通信装置と同様の処理である。無線通信装置１は、立ち上げ処理が完了すると（図２ステップＳ０２）、処理を終了する。
【００３５】
また、無線通信装置１は、立ち上げ処理が完了しなければ（図２ステップＳ０２）、マスク部３４０によってて信号処理部３４からの制御出力をマスクする（図２ステップＳ０３）。このマスク部３４０による信号処理部３４からの制御出力のマスク処理は、立ち上げ処理が完了するまで実行される。
【００３６】
これによって、本実施の形態では、装置立ち上げ時の過渡状態において、復調部３２が多数の復調誤りを発生している状態で、信号処理部３４が誤った制御を発動することによる装置誤動作を防止することができる。
【００３７】
図３は本発明の第１の実施の形態による無線通信装置の詳細な構成例を示すブロック図である。図３は、（１＋１）装置において、復調部と信号処理部とが別パッケージになっている場合の構成を示している。
【００３８】
図３において、本発明の第１の実施の形態による無線通信装置１は、ＯＤＵ２−１，２−２と、ＩＤＵ３と、ＩＤＵ−ＯＤＵ間ケーブル１００−１，１００−２とから構成されている。ＩＤＵ３は、ＯＤＵ  Ｉ／Ｆ（Ｉｎｔｅｒｆａｃｅ）３１−１，３１−２と、復調部３２−１，３２−２と、ＣＰＵ（中央処理装置）３３と、信号処理部３４と、制御バスライン１１０とを備えている。
【００３９】
復調部３２−１，３２−２は、シリアル制御設定回路３２１−１，３２１−２を備え、信号処理部３４は、シリアル制御設定回路３４１と、設定テーブル３４２と、制御生成回路３４３と、制御出力マスク生成回路３４４と、制御信号出力バッファ３４５と、制御ビット抽出回路３４６とを備えている。
【００４０】
無線通信装置１において、ＯＤＵ２−１，２−２はＲＦ送受信機能を持ち、ＯＤＵ  Ｉ／Ｆ３１−１，３１−２はケーブル長補正回路（ケーブル長補正部３０）等を持つ。信号処理部３４は復調部３２−１，３２−２からの入力データ内の制御ビットを判定し、各種制御を発動する。
【００４１】
ＣＰＵ３３は、ケーブル長補正・プロビジョニング設定等の立ち上げ処理を実施する。ここで、ケーブル長補正は、ＩＤＵ３−ＯＤＵ２−１，２−２間のケーブル長周波数特性補正やレベル補正を示しており、プロビジョニング設定は、サービスに関わる配線、機器、信号等の通信に関わる設定を示している。
【００４２】
制御バスライン１１０は、ＣＰＵ５からの設定・制御を実施する。また、復調部３２−１，３２−２及び信号処理部３４各々のシリアル制御設定回路３２１−１，３２１−２，３４１は、ＣＰＵ３３からの制御信号を処理する。
【００４３】
本実施の形態では、信号処理部３４の設定テーブル３４２に立ち上げ設定完了ビットを設けている。この場合、立ち上げ設定完了ビットの論理は、「立ち上げ設定完了＝“１”」とする。
【００４４】
また、本実施の形態では、信号処理部３４に制御出力マスク生成回路３４４と制御信号出力バッファ３４５とを設けている。立ち上げ設定完了ビット＝“０”の場合、制御出力マスク生成回路３４４は、制御信号出力バッファ３４５に対してイネーブル（Ｅｎａｂｌｅ）制御を実施することで、制御生成回路３４３が出力する制御信号をマスクする。さらに、立ち上げ設定完了ビット＝“１”の場合、制御出力マスク生成回路３４４は、制御生成回路３４３が出力する制御信号に対するマスクを解除する。
【００４５】
本実施の形態では、装置立ち上げ時、ＣＰＵ３３から信号処理部３４へのプロビジョニング設定を２段階で実施する。１回目の設定時では、全立ち上げ処理が完了していないため、設定完了ビットに“０”を設定することで信号処理部３４からの制御出力をマスクする。２回目の設定時には、全立ち上げ処理が完了しているため、設定完了ビットに“１”を設定し、信号処理部３４からの制御出力に対するマスクを解除する。
【００４６】
図４は図３の無線通信装置１の装置起動時の立ち上げ処理を示すシーケンスチャートである。これら図３及び図４を参照して無線通信装置１の装置起動時の立ち上げ処理について説明する。尚、図４に示すＣＰＵ３３の処理は、図示せぬメモリに格納されたプログラムを実行することで実現される。
【００４７】
無線通信装置１のＣＰＵ３３は、装置立ち上げ時［電源立ち上げ（図４ステップＳ１１）及びＣＰＵ起動（図４ステップＳ１２）、ＯＤＵ２−１，２−２の設定等を行い（図４ステップＳ１３）、シリアル制御設定回路３２１−１，３２１−２にアクセスし、復調部３２−１，３２−２に対してプロビジョニング設定を行う（図４ステップＳ１４）。
【００４８】
復調部３２−１，３２−２は、ＣＰＵ３３からのプロビジョニング設定を受信すると（図４ステップＳ１）、プロビジョニング設定を実行する。復調部３２−１，３２−２は、プロビジョニング設定が完了すると、設定完了レスポンスをＣＰＵ３３に返し（図４ステップＳ２）、運用状態となる。
【００４９】
ＣＰＵ３３は、復調部３２−１，３２−２からの設定完了レスポンスを受信すると（図４ステップＳ１５）、シリアル制御設定回路３４１にアクセスし、信号処理部３４に対する１回目のプロビジョニング設定を実施する（図４ステップＳ１６）。その際、ＣＰＵ３３は、設定テーブル３４２の立ち上げ設定完了ビットに“０”を設定する。
【００５０】
信号処理部３４では、立ち上げ設定完了ビットに“０”が設定されたことを受け、制御出力マスク生成回路３４４が“Ｈ”を出力し、制御信号出力バッファ３４５に対してイネーブル（Ｅｎａｂｌｅ）制御を実施することで、制御生成回路３４３からの出力をマスクする。
【００５１】
信号処理部３４の制御ビット抽出回路３４６は、信号処理部３４の入力データから制御ビットを抽出する。制御生成回路３４３は、その制御ビット抽出回路３４６の抽出結果にしたがって制御を発動する。しかしながら、本実施の形態では、立ち上げ設定完了ビットに“０”が設定されたことによって、制御出力マスク生成回路３４４が制御信号出力バッファ３４５に対してイネーブル制御を実施し、制御生成回路３４３からの出力をマスクする。
【００５２】
本発明に関連する無線通信装置では、上述した課題に示すように、プロビジョニング設定実施後、信号処理部３４が誤った制御を発動してしまうことがあるが、本実施の形態では、信号処理部３４内で制御生成回路３４３からの出力をマスクすることによって、信号処理部３４が誤った制御を発動することはない。
【００５３】
信号処理部３４は、ＣＰＵ３３からのプロビジョニング設定を受信すると（図４ステップＳ２１）、プロビジョニング設定を実行する。信号処理部３４は、プロビジョニング設定が完了すると、設定完了レスポンスをＣＰＵ３３に返す（図４ステップＳ２２）。
【００５４】
ＣＰＵ３３は、信号処理部３４からの設定完了レスポンスを受信すると（図４ステップＳ１７）、ケーブル長補正を実施し（図４ステップＳ１８）、その後、信号処理部３４に対して、２回目のプロビジョニング設定を実施し、立ち上げ設定完了ビットに“１”を設定する（図４ステップ１９）。
【００５５】
ここで、本実施の形態では、ケーブル長補正を実施することで、ＯＤＵ  Ｉ／Ｆ３１−１，３１−２内のＡＴＴ（Ａｔｔｅｎｕａｔｏｒ）量が適切に決定され、復調部３２−１，３２−２の入力レベルが規定値内で安定するため、復調部３２−１，３２−２が入力レベル外れによる復調誤りを発生することはない。
【００５６】
信号処理部３４は、立ち上げ設定完了ビットに“１”を設定し、信号処理部６内で制御生成回路３４３からの出力に対するマスクを解除するが、ケーブル長補正実施によって復調部３２−１，３２−２の入力が規定内レベルとなっているため、復調部３２−１，３２−２が復調誤りを発生することはなく、信号処理が誤った制御を発動することはない。
【００５７】
信号処理部３４は、ＣＰＵ３３からの２回目のプロビジョニング設定を受信すると（図４ステップＳ２３）、２回目のプロビジョニング設定を実行する。信号処理部３４は、２回目のプロビジョニング設定が完了すると、２回目の設定完了レスポンスをＣＰＵ３３に返し（図４ステップＳ２４）、運用状態となる。
【００５８】
この場合、制御出力マスク生成回路３４４は、立ち上げ設定完了ビットが“１”に設定されたことで、制御信号出力バッファ３４５に対するイネーブル制御を解除し、制御生成回路３４３からの出力のマスクを解除する。これによって、信号処理部３４は、復調部３２−１，３２−２から入力された制御ビットにしたがって制御信号を出力する、通常運用状態に入る。
【００５９】
ＣＰＵ３３は、信号処理部３４からの２回目の設定完了レスポンスを受信すると（図４ステップＳ２０）、立ち上げ設定完了となる。
【００６０】
このように、本実施の形態では、信号処理部３４の設定テーブル３４２に立ち上げ設定完了ビットを設け、立ち上げ設定完了ビットによって信号処理部３４の制御出力をマスクする回路を実装し、ケーブル長補正の前後で立ち上げ設定完了ビットを変更することで、復調部３２−１，３２−２の入力レベルが不安定な間、信号処理部３４の制御出力をマスクすることができるため、上述した本発明の実施の形態における課題を解決することができる。
【００６１】
つまり、本実施の形態では、信号処理部３４に制御出力をマスクする機能を持たせ、ＣＰＵ３３によって立ち上げ処理が完了するまで、信号処理部３４からの制御出力をマスクすることによって、装置立ち上げ時の過渡状態において、復調部３２−１，３２−２が多数の復調誤りを発生している状態で、信号処理部３４が誤った制御を発動することによる装置誤動作を防止することができる。
【００６２】
図５は本発明の第２の実施の形態による無線通信装置の詳細な構成例を示すブロック図である。図５は、（１＋０）装置において、復調部と信号処理部とが同一パッケージになっている場合の構成を示している。
【００６３】
図５において、本発明の第２の実施の形態による無線通信装置１ａは、ＯＤＵ２と、ＩＤＵ３ａと、ＩＤＵ−ＯＤＵ間ケーブル１００とから構成されている。ＩＤＵ３ａは、ＯＤＵ  Ｉ／Ｆ３１と、ＣＰＵ３３と、復調信号処理部３５と、制御バスライン１１０とを備えている。
【００６４】
復調信号処理部３５は、復調部３２と、シリアル制御設定回路３６と、設定テーブル３７と、信号処理部３４ａとを備え、信号処理部３４ａは、制御生成回路３４３と、制御出力マスク生成回路３４４と、制御信号出力バッファ３４５と、制御ビット抽出回路３４６とを含んでいる。
【００６５】
このように、無線通信装置１ａにおいては、復調部３２と信号処理部３４ａとを同一パッケージ（復調信号処理部３５）によって実現しており、復調部３２及び信号処理部３４ａ各々のシリアル制御設定回路と設定テーブルは、シリアル制御設定回路３６及び設定テーブル３７に集約している。
【００６６】
本実施の形態では、復調信号処理部３５の設定テーブル３７に立ち上げ設定完了ビットを設けている。立ち上げ設定完了ビットの論理は、「立ち上げ設定完了＝“１”」とする。
【００６７】
また、本実施の形態では、信号処理部３４ａに制御出力マスク生成回路３４４と制御信号出力バッファ３４５とを設けている。立ち上げ設定完了ビット＝“０”の場合、制御出力マスク生成回路３４４は、制御信号出力バッファ３４５に対してイネーブル（Ｅｎａｂｌｅ）制御を実施することで、制御生成回路３４３が出力する制御信号をマスクする。さらに、立ち上げ設定完了ビット＝“１”の場合、制御出力マスク生成回路３４４は、制御生成回路３４３が出力する制御信号に対するマスクを解除する。
【００６８】
本実施の形態では、装置立ち上げ時、ＣＰＵ３３から復調信号処理部３５へのプロビジョニング設定を２段階で実施する。１回目の設定時では、全立ち上げ処理が完了していないため、設定完了ビットに“０”を設定することで復調信号処理部３５からの制御出力をマスクする。２回目の設定時には、全立ち上げ処理が完了しているため、設定完了ビットに“１”を設定し、復調信号処理部３５からの制御出力に対するマスクを解除する。
【００６９】
図６は図５の無線通信装置１ａの装置起動時の立ち上げ処理を示すシーケンスチャートである。これら図５及び図６を参照して無線通信装置１ａの装置起動時の立ち上げ処理について説明する。尚、図６に示すＣＰＵ３３の処理は、図示せぬメモリに格納されたプログラムを実行することで実現される。
【００７０】
無線通信装置１ａのＣＰＵ３３は、装置立ち上げ時［電源立ち上げ（図６ステップＳ３１）及びＣＰＵ起動（図６ステップＳ３２）、ＯＤＵ２の設定等を行い（図６ステップＳ３３）、シリアル制御設定回路３６にアクセスし、復調信号処理部３５に対して１回目のプロビジョニング設定を行う（図６ステップＳ３４）。その際、ＣＰＵ３３は、設定テーブル３７の立ち上げ設定完了ビットに“０”を設定する。
【００７１】
復調信号処理部３５では、立ち上げ設定完了ビットに“０”が設定されたことを受け、制御出力マスク生成回路３４４が“Ｈ”を出力し、制御信号出力バッファ３４５に対してイネーブル制御を実施することで、制御生成回路３４３からの出力をマスクする。
【００７２】
復調信号処理部３５内において、信号処理部３４ａの制御ビット抽出回路３４６は、信号処理部３４ａの入力データから制御ビットを抽出する。制御生成回路３４３は、その制御ビット抽出回路３４６の抽出結果にしたがって制御を発動する。しかしながら、本実施の形態では、立ち上げ設定完了ビットに“０”が設定されたことによって、制御出力マスク生成回路３４４が制御信号出力バッファ３４５に対してイネーブル制御を実施し、制御生成回路３４３からの出力をマスクする。
【００７３】
本発明に関連する無線通信装置では、上述した課題に示すように、プロビジョニング設定実施後、復調信号処理部３５が誤った制御を発動してしまうことがあるが、本実施の形態では、復調信号処理部３５内で信号処理部３４ａの制御生成回路３４３からの出力をマスクすることによって、復調信号処理部３５が誤った制御を発動することはない。
【００７４】
復調信号処理部３５は、ＣＰＵ３３からのプロビジョニング設定を受信すると（図６ステップＳ４１）、プロビジョニング設定を実行する。復調信号処理部３５は、プロビジョニング設定が完了すると、設定完了レスポンスをＣＰＵ３３に返す（図６ステップＳ４２）。
【００７５】
ＣＰＵ３３は、復調信号処理部３５からの設定完了レスポンスを受信すると（図６ステップＳ３５）、ケーブル長補正を実施し（図６ステップＳ３６）、その後、復調信号処理部３５に対して、２回目のプロビジョニング設定を実施し、立ち上げ設定完了ビットに“１”を設定する（図６ステップ３７）。
【００７６】
ここで、本実施の形態では、ケーブル長補正を実施することで、ＯＤＵ  Ｉ／Ｆ３１内のＡＴＴ量が適切に決定され、復調信号処理部３５内の復調部３２の入力レベルが規定値内で安定するため、復調部３２が入力レベル外れによる復調誤りを発生することはない。
【００７７】
復調信号処理部３５は、立ち上げ設定完了ビットに“１”を設定し、復調信号処理部３５内で信号処理部３４ａの制御生成回路３４３からの出力に対するマスクを解除するが、ケーブル長補正実施によって復調部３２の入力が規定内レベルとなっているため、復調部３２が復調誤りを発生することはなく、信号処理が誤った制御を発動することはない。
【００７８】
復調信号処理部３５は、ＣＰＵ３３からの２回目のプロビジョニング設定を受信すると（図６ステップＳ４３）、２回目のプロビジョニング設定を実行する。復調信号処理部３５は、２回目のプロビジョニング設定が完了すると、２回目の設定完了レスポンスをＣＰＵ３３に返し（図６ステップＳ４４）、運用状態となる。
【００７９】
この場合、制御出力マスク生成回路３４４は、立ち上げ設定完了ビットが“１”に設定されたことで、制御信号出力バッファ３４５に対するイネーブル制御を解除し、制御生成回路３４３からの出力のマスクを解除する。これによって、復調信号処理部３５では、信号処理部３４ａが復調部３２から入力された制御ビットにしたがって制御信号を出力する、通常運用状態に入る。
【００８０】
ＣＰＵ３３は、復調信号処理部３５からの２回目の設定完了レスポンスを受信すると（図６ステップＳ３８）、立ち上げ設定完了となる。
【００８１】
このように、本実施の形態では、復調信号処理部３５の設定テーブル３７に立ち上げ設定完了ビットを設け、立ち上げ設定完了ビットによって信号処理部３４ａの制御出力をマスクする回路を実装し、ケーブル長補正の前後で立ち上げ設定完了ビットを変更することで、復調部３２の入力レベルが不安定な間、信号処理部６ａの制御出力をマスクすることができるため、上述した本発明の実施の形態における課題を解決することができる。
【００８２】
つまり、本実施の形態では、信号処理部３４ａに制御出力をマスクする機能を持たせ、ＣＰＵ３３によって立ち上げ処理が完了するまで、信号処理部３４ａからの制御出力をマスクすることによって、装置立ち上げ時の過渡状態において、復調部４が多数の復調誤りを発生している状態で、信号処理部３４ａが誤った制御を発動することによる装置誤動作を防止することができる。
【００８３】
尚、本発明は、復調部３２，３２−１，３２−２が非同期状態となった場合に、信号処理部３４，３４ａの制御発動をマスクする機能を具備している場合、立ち上げ設定完了ビットを復調部３２，３２−１，３２−２に設け、装置立ち上げ処理が完了するまで、信号処理部３４，３４ａに対して強制的に非同期情報を送信することで、信号処理部３４，３４ａが制御発動をマスクすることができるため、上記の実施の形態と同様の効果を得ることができる。
【図面の簡単な説明】
【００８４】
【図１】本発明の第１の実施の形態による無線通信装置の構成例を示すブロック図である。
【図２】図１の無線通信装置の装置起動時の立ち上げ処理を示すシーケンスチャートである。
【図３】本発明の第１の実施の形態による無線通信装置の詳細な構成例を示すブロック図である。
【図４】図３の無線通信装置の装置起動時の立ち上げ処理を示すシーケンスチャートである。
【図５】本発明の第２の実施の形態による無線通信装置の詳細な構成例を示すブロック図である。
【図６】図５の無線通信装置の装置起動時の立ち上げ処理を示すシーケンスチャートである。
【図７】本発明に関連する無線通信装置の第１の構成例を示すブロック図である。
【図８】図７の無線通信装置の装置起動時の立ち上げ処理を示すシーケンスチャートである。
【図９】本発明に関連する無線通信装置の第２の構成例を示すブロック図である。
【図１０】図９の無線通信装置の装置起動時の立ち上げ処理を示すシーケンスチャートである。
【符号の説明】
【００８５】
１，１ａ  無線通信装置
２，２−１，２−２  ＯＤＵ
３，３ａ  ＩＤＵ
３０  ケーブル長補正部
３１，３１−１，３１−２  ＯＤＵ  Ｉ／Ｆ
３２，３２−１，３２−２  復調部
３３  ＣＰＵ
３４，３４ａ  信号処理部
３５  復調信号処理部
３６，３２１−１，
３２１−２，３４１  シリアル制御設定回路
３７，３４２  設定テーブル
１００，
１００−１，１００−２  ＩＤＵ−ＯＤＵ間ケーブル
１１０  制御バスライン
３４０  マスク部
３４３  制御生成回路
３４４  制御出力マスク生成回路
３４５  制御信号出力バッファ
３４６  制御ビット抽出回路
【図１】
0004978451.tif 000002
【図２】
0004978451.tif 000003
【図３】
0004978451.tif 000004
【図４】
0004978451.tif 000005
【図５】
0004978451.tif 000006
【図６】
0004978451.tif 000007
【図７】
0004978451.tif 000008
【図８】
0004978451.tif 000009
【図９】
0004978451.tif 000010
【図１０】
0004978451.tif 000011